(57)【要約】【課題】  従来の携帯電話装置は、受信側でのマナー対策を目的とするものであり、送信側でのマナー対策ではなく、送信側では現在では「メールを送らない」という消極的なマナー対策しか選択肢がない。【解決手段】  送信側携帯電話装置１０は、メール本文に消音指定情報を付加したメールを作成し、相手先である携帯電話装置３０を指定したメールを中継サーバ２０へ送信する。中継サーバ２０は、受信メールに消音指定制御情報が含まれている場合には、消音設定情報を設定した着信通信信号を生成してメール本文に付加し、それを携帯電話装置３０へ送信する。携帯電話装置３０は、受信解析したメールに付加されている着信通信信号の消音設定情報に応じて、着信音を鳴動するか着信音の鳴動を停止する。発信者により消音指定情報が付加されて送信されたメールを受信したときには、着信音は鳴動しない。【選択図】            図１
2006115124.tif 000002
【特許請求の範囲】
【請求項１】
送信側携帯電話装置から送信されたメールを、中継サーバを介してメール送信先の受信側携帯電話装置で受信させる携帯電話システムにおいて、
前記送信側携帯電話装置は、
任意のメール本文を作成するメール作成手段と、
前記メール作成手段で作成した前記メール本文に、前記受信側携帯電話装置におけるメール受信時の着信音を禁止する消音指定情報を付加したメールを送信するメール送信手段とを有し、
前記中継サーバは、
前記送信側携帯電話装置から送信された前記メールを受信する第１の受信手段と、
受信した前記メール中に前記消音指定情報が付加されているか否かを示す着信音設定情報を、前記受信したメールのメール本文に付加したメールを前記受信側携帯電話装置へ送信する中継手段とを有し、
前記受信側携帯電話装置は、
前記中継サーバから送信された前記メールを受信する第２の受信手段と、
前記第２の受信手段により受信した前記メール中に付加されている前記着信音設定情報に応じて、着信音を鳴動又は消音制御する着信音制御手段とを有し、
前記送信側携帯電話装置が送信するメールに前記消音指定情報が付加されたときには、前記受信側携帯電話装置でのメール受信時の着信音の鳴動を禁止することを特徴とする携帯電話システム。
【請求項２】
前記中継サーバの前記中継手段は、前記第１の受信手段により受信した前記メール中に前記消音指定情報が付加されているときには、着信音鳴動禁止を示す着信音設定情報を生成し、前記消音指定情報が付加されていないときには、着信音鳴動を示す着信音設定情報を生成して、前記メール本文に付加したメールを送信することを特徴とする請求項１記載の携帯電話システム。
【請求項３】
送信側携帯電話装置から送信されたメールを、中継サーバを介してメール送信先の受信側携帯電話装置で受信させる携帯電話システムにおけるメール送受信方法において、
任意のメール本文を作成する第１のステップと、
前記送信側携帯電話装置が、前記第１のステップで作成した前記メール本文に、前記受信側携帯電話装置におけるメール受信時の着信音を禁止する消音指定情報を付加したメールを送信する第２のステップと、
前記中継サーバが、前記送信側携帯電話装置から送信された前記メールを受信する第３のステップと、
受信した前記メール中に前記消音指定情報が付加されているか否かを示す着信音設定情報を、前記受信したメールのメール本文に付加したメールを前記中継サーバが作成して、前記受信側携帯電話装置へ送信する第４のステップと、
前記受信側携帯電話装置が、前記中継サーバから送信された前記メールを受信する第５のステップと、
前記第５のステップにより受信した前記メール中に付加されている前記着信音設定情報に応じて、着信音を鳴動又は消音制御する第６のステップと
を含み、前記送信側携帯電話装置が送信するメールに前記消音指定情報が付加されたときには、前記受信側携帯電話装置でのメール受信時の着信音の鳴動を禁止することを特徴とするメール送受信方法。
【請求項４】
前記第４のステップは、前記第３のステップにより受信した前記メール中に前記消音指定情報が付加されているときには、着信音鳴動禁止を示す着信音設定情報を生成し、前記消音指定情報が付加されていないときには、着信音鳴動を示す着信音設定情報を生成して、前記メール本文に付加したメールを送信することを特徴とする請求項３記載のメール送受信方法。
【請求項５】
任意に作成したメールを中継サーバを介してメール送信先へ送信するメール送信機能と、前記中継サーバを介して前記メールを受信するメール受信機能とを備えた携帯電話装置において、
任意のメール本文を作成するメール作成手段と、
前記メール作成手段で作成した前記メール本文に、メール受信時の着信音を禁止する消音指定情報を付加したメールを送信するメール送信手段と、
前記中継サーバから送信された前記メールを受信するメール受信手段と、
前記メール受信手段により受信した前記メール中のメール本文に付加されている、前記消音指定情報に対応した着信音設定情報に応じて、着信音を鳴動又は消音制御する着信音制御手段とを有し、
前記着信音制御手段により、前記消音指定情報が付加されたときの着信音設定情報に基づき、前記メールを受信した時の着信音の鳴動を禁止することを特徴とする携帯電話装置。
【請求項６】
前記メール送信手段は、メールメッセージ入力ウィンドウ付近にチェックボックス等の前記消音指定情報を付加するか否かの指定用インタフェースを有し、該指定用インタフェースを用いて前記消音指定情報を前記メール本文に付加することを特徴とする請求項５記載の携帯電話装置。
【発明の詳細な説明】
【技術分野】
【０００１】
本発明は携帯電話システム、メール送受信方法及び携帯電話装置に係り、特に送信側の携帯電話装置により着信側の携帯電話装置の着信音量を制御する携帯電話システム、メール送受信方法及び携帯電話装置に関する。
【背景技術】
【０００２】
携帯電話装置は電話機能以外にメール送受信機能その他各種の機能を有し、その利便性から近年急速に普及が進んでいるが、特にメール送受信機能を使って利便性の向上を目的として、送信側が受信側の動作を制御する携帯電話システム、メール送受信方法及び携帯電話装置が知られている（例えば、特許文献１〜３参照）。特許文献１には、メールデータの送受信機能を最大限利用し、使い勝手を向上するために、送信者側の携帯電話装置が、メールデータとしてメロディデータを呼出先の電話番号に付与して発呼信号を生成し、その発呼信号を電話回線網に発信し、着信側の携帯電話装置では、送信されてきたメロディデータに従ったメロディを着信音として発音する構成が開示されている。
【０００３】
また、特許文献２には、複数のメールアドレス及び複数のメロディデータを記憶手段に記憶しておき、利用者によって任意に選択されたメロディデータを含む送信用データを生成して、選択したメールアドレス宛に送信することにより、メールアドレスの受信側の携帯電話装置では、受信したメロディデータに従ったメロディの着信音を鳴動させる構成が開示されている。
【０００４】
更に、特許文献３には、送信側の携帯電話装置がメロディデータが添付されたメールを送信し、受信側の携帯電話装置では、受信したメールに添付されたデータが着信音に設定されているときには、メロディデータを着信音として鳴動させることにより、受信側が新たな設定をせず、かつ、表示部を確認することなく、ショートメッセージやメールの着信時に、送信者を認知することができる携帯電話装置が開示されている。
【０００５】
また、送信側の携帯電話装置が、送信者が予め定めた電子メールの重要度を示す電子メール制御情報を電子メール本文に付加した電子メールを生成して送信し、受信側の携帯電話装置では、受信電子メールに付加された電子メール制御情報から重要度情報を抽出し、抽出した重要度情報のレベルに応じた着信音情報を選択して、その着信音情報で着信音を再生する構成の携帯電話システムが、従来より知られている（例えば、特許文献４参照）。これにより、送信者が予め定めた電子メールの重要度に応じて、電子メールの着信を受信者に分かり易く通知することができる。
【０００６】
ところで、本来メールで済ます用件というものは、即座に応答を求めるものばかりではなく、自分の都合のよいときに送信し、相手も、自らの都合のよいときに返信するという非同期性も魅力のはずである。だが、即座に着信通知があることにより、メールの手軽さが奪われ、不便である。その理由は、メール送信時における相手の状況（就寝中や仕事中や運転中など）を考慮して送信する必要があるためである。
【０００７】
そこで、従来、受信者が受信したくない設定時間帯に受信した受信メールに、所定のキーワードが含まれている場合に、着信音を鳴動させないようにした携帯電話システムも従来より知られている（特許文献５参照）。これにより、受信者が望まない時間帯で受信したメールの着信音が鳴動することを防止できる。
【０００８】
【特許文献１】特開平１１−１３６３９３号公報
【特許文献２】特開２００１−１１１７２０号公報
【特許文献３】特開２００３−００８６８６号公報
【特許文献４】特開２００２−０４１４１４号公報
【特許文献５】特開２００４−２０７９５９号公報
【発明の開示】
【発明が解決しようとする課題】
【０００９】
しかるに、特許文献１〜３記載の従来の携帯電話装置は、それぞれメロディデータそのものをメールデータとしてメールに付加して発信するものであり、携帯電話装置の利便性向上を目的とするものであり、送信者側から受信側携帯電話装置の着信音量を制御することができない。
【００１０】
また、特許文献４記載の従来の携帯電話システムは、重要度・緊急度によってメールの着信者に分かり易くしようとするものであるが、メール送信して即座に着信通知がある現在の携帯電話システムでは、重要度・緊急度のみで即着信音を鳴動させて良いかどうかは問題である。例えば、次の日の仕事で必要な情報だが夜も遅いので、明日の朝読んでくれればよいが、自分は朝は連絡がとれないので夜のうちにメールしておくとした場合、メールの内容は重要だが、今着信して重要度の着信音で鳴動させてしまうと、就寝の妨げになる。かといって、重要度のレベルを落としてしまうと、次の日の朝、重要度が低いからと読まれないかも知れないというような場合が考えられる。また、昨今の迷惑メールの状況を考えると、これらの業者は常に”重要・緊急”で送信してくることも考えられ、システムが破綻してしまう。従って、特許文献４記載の従来の携帯電話システムでは、送信者側から受信側携帯電話装置の着信音量を制御することができない。
【００１１】
更に、特許文献５記載の従来の携帯電話装置は、受信側でのマナー対策を目的とするものであり、送信側でのマナー対策ではなく、送信側では現在では「メールを送らない」という消極的なマナー対策しか選択肢がない。
【００１２】
本発明は以上の点に鑑みなされたもので、送信側で受信側でのメール送信のマナー対策を可能とした携帯電話システム、メール送受信方法及び携帯電話装置を提供することを目的とする。
【００１３】
また、本発明の他の目的は、送信者側から受信側携帯電話装置の着信音量を制御し得る携帯電話システム、メール送受信方法及び携帯電話装置を提供することにある。
【課題を解決するための手段】
【００１４】
上記の目的を達成するため、第１の発明の携帯電話システムは、送信側携帯電話装置から送信されたメールを、中継サーバを介してメール送信先の受信側携帯電話装置で受信させる携帯電話システムにおいて、
送信側携帯電話装置は、任意のメール本文を作成するメール作成手段と、メール作成手段で作成したメール本文に、受信側携帯電話装置におけるメール受信時の着信音を禁止する消音指定情報を付加したメールを送信するメール送信手段とを有し、
中継サーバは、送信側携帯電話装置から送信されたメールを受信する第１の受信手段と、受信したメール中に消音指定情報が付加されているか否かを示す着信音設定情報を、受信したメールのメール本文に付加したメールを受信側携帯電話装置へ送信する中継手段とを有し、
受信側携帯電話装置は、中継サーバから送信されたメールを受信する第２の受信手段と、第２の受信手段により受信したメール中に付加されている着信音設定情報に応じて、着信音を鳴動又は消音制御する着信音制御手段とを有し、送信側携帯電話装置が送信するメールに消音指定情報が付加されたときには、受信側携帯電話装置でのメール受信時の着信音の鳴動を禁止することを特徴とする。
【００１５】
この発明では、送信側携帯電話装置が着信音を消音指定でき、また、送信側携帯電話装置で、受信側携帯電話装置のマナーを心がけて消音指定できる。
【００１６】
また、上記の目的を達成するため、第２の発明の携帯電話システムは、第１の発明の中継サーバの中継手段を、第１の受信手段により受信したメール中に消音指定情報が付加されているときには、着信音鳴動禁止を示す着信音設定情報を生成し、消音指定情報が付加されていないときには、着信音鳴動を示す着信音設定情報を生成して、メール本文に付加したメールを送信することを特徴とする。
【００１７】
また、上記の目的を達成するため、第３の発明のメール送受信方法は、送信側携帯電話装置から送信されたメールを、中継サーバを介してメール送信先の受信側携帯電話装置で受信させる携帯電話システムにおけるメール送受信方法において、任意のメール本文を作成する第１のステップと、送信側携帯電話装置が、第１のステップで作成したメール本文に、受信側携帯電話装置におけるメール受信時の着信音を禁止する消音指定情報を付加したメールを送信する第２のステップと、中継サーバが、送信側携帯電話装置から送信されたメールを受信する第３のステップと、受信したメール中に消音指定情報が付加されているか否かを示す着信音設定情報を、受信したメールのメール本文に付加したメールを中継サーバが作成して、受信側携帯電話装置へ送信する第４のステップと、受信側携帯電話装置が、中継サーバから送信されたメールを受信する第５のステップと、第５のステップにより受信したメール中に付加されている着信音設定情報に応じて、着信音を鳴動又は消音制御する第６のステップとを含み、送信側携帯電話装置が送信するメールに消音指定情報が付加されたときには、受信側携帯電話装置でのメール受信時の着信音の鳴動を禁止することを特徴とする。この発明では、送信側携帯電話装置において、送信するメールに、送信時間帯等を考慮して任意に消音指定情報を付加することができ、その場合は受信側携帯電話装置でのメール受信時の着信音の鳴動を禁止することができる。
【００１８】
また、上記の目的を達成するため、第４の発明のメール送受信方法は、第３の発明における第４のステップを、第３のステップにより受信したメール中に消音指定情報が付加されているときには、着信音鳴動禁止を示す着信音設定情報を生成し、消音指定情報が付加されていないときには、着信音鳴動を示す着信音設定情報を生成して、メール本文に付加したメールを送信するようにしたことを特徴とする。
【００１９】
また、上記の目的を達成するため、第５の発明の携帯電話装置は、任意に作成したメールを中継サーバを介してメール送信先へ送信するメール送信機能と、中継サーバを介してメールを受信するメール受信機能とを備えた携帯電話装置において、任意のメール本文を作成するメール作成手段と、メール作成手段で作成したメール本文に、メール受信時の着信音を禁止する消音指定情報を付加したメールを送信するメール送信手段と、中継サーバから送信されたメールを受信するメール受信手段と、メール受信手段により受信したメール中のメール本文に付加されている、消音指定情報に対応した着信音設定情報に応じて、着信音を鳴動又は消音制御する着信音制御手段とを有し、着信音制御手段により、消音指定情報が付加されたときの着信音設定情報に基づき、メールを受信した時の着信音の鳴動を禁止することを特徴とする。この発明では、送信側携帯電話装置が着信音を消音指定でき、また、送信側携帯電話装置で、受信側携帯電話装置のマナーを心がけて消音指定できる。
【００２０】
また、上記の目的を達成するため、第６の発明の携帯電話装置は、第５の発明におけるメール送信手段を、メールメッセージ入力ウィンドウ付近にチェックボックス等の消音指定情報を付加するか否かの指定用インタフェースを有し、該指定用インタフェースを用いて消音指定情報を前記メール本文に付加することを特徴とする
【発明の効果】
【００２１】
本発明によれば、送信側携帯電話装置側で着信音を消音指定できるようにしたため、メール送信者は受信側携帯電話装置においてメール受信の着信音が迷惑になるような場合には、着信音を消音指定することにより着信音を鳴動させないようにでき、これにより、いつでも気兼ねなくメールを送信することができる。
【００２２】
また、本発明によれば、送信側携帯電話装置側でマナーを心がけて消音指定できるため、受信側携帯電話装置はマナーモード設定期間を短くできる。
【発明を実施するための最良の形態】
【００２３】
次に、発明を実施するための最良の形態について図面と共に説明する。図１は本発明になる携帯電話システムの一実施の形態のシステム構成図を示す。同図において、本実施の形態は、送信側携帯電話装置１０と中継サーバ２０と受信側携帯電話装置３０とから構成される。なお、送信側携帯電話装置１０は受信側にもなり得、受信側携帯電話装置３０は着信側携帯電話装置ともなり得る。
【００２４】
送信側携帯電話装置１０と着信側携帯電話装置３０とは同一構成であり、例えば図２のブロック図に示す構成とされている。同図において、携帯電話装置４０は、この電話装置全体を統括的に制御する制御部４１と、電話番号、メールアドレス、メール本文、消音指定などの入力を行うための各種キーから構成される入力部４２と、本実施の形態特有の処理を行うためのプログラムや電話帳データなどを記憶している記憶部４３と、入力部４２により入力した電話番号、メール文等や、受信したメール本文を表示するための液晶表示素子などで構成された表示部４４と、送話音声を収音して送話音声信号に変換するためのマイク４５と、着信音や受話音声を発音するためのスピーカ４６と、表示部４４に表示動作を行わせるための表示駆動部４７と、マイク４５からの送話音声信号やスピーカ４６への着信音あるいは受話音声信号の処理を行う音声処理部４８と、送受信する信号の処理を行う信号処理部４９と、図示しない最寄りの基地局との間で、アンテナ５１を介して無線通信するための無線部５０とから構成されている。
【００２５】
ここで、本実施の形態の携帯電話装置は、送信するメール本文に消音制御情報を付加する機能、受信メール中に消音制御情報が付加されているかどうか判定する機能、及び受信したメール中の消音制御情報の有無に応じて着信音制御する機能とを制御部４１が有する点に特徴がある。
【００２６】
次に、図１の本発明システムの一実施の形態の動作について、図２のブロック図及び図３のフローチャートを併せ参照して説明する。まず、送信側携帯電話装置１０は、メールを送信するに当たり、そのメールの重要度・緊急度、発信者（発側ユーザ）自体の送信可能時間など種々の条件を勘案し、かつ、受信者（着側ユーザ）の受信許容時間帯などを推定して、受信者がメール受信すると迷惑するであろうと推定される時間帯でメール送信しなければならない場合には、メール本文に消音指定情報を付加したメールを作成し（図３のステップＳ１）、相手先である携帯電話装置３０を指定したメールを中継サーバ２０へ送信する（図３のステップＳ２）。
【００２７】
この場合、例えば、送信側携帯電話装置１０は、メール送信の際に、着信音消音指定ができるように、メールメッセージ入力ウィンドウ付近にチェックボックス等の指定用インタフェースを持つ。
【００２８】
中継サーバ２０は、メールを受信すると（図３のステップＳ３）、その受信メールのメール本文に消音指定制御情報が含まれているかどうかを判定し（図３のステップＳ４）、消音指定制御情報が含まれている場合には、消音設定情報を設定した着信通信信号を生成してメール本文に付加し（図３のステップＳ５）、それを相手先である携帯電話装置３０へ送信する（図３のステップＳ６）。
【００２９】
中継サーバ２０は、上記のステップＳ４で消音指定制御情報が無いと判定した時には、消音設定情報を有しない着信通信信号を生成してメール本文に付加して携帯電話装置３０へ送信する（図３のステップＳ６）。このようにして、中継サーバ２０は、受信したメールのメール本文に着信通信信号を付加したメールを携帯電話装置３０へ送信する。
【００３０】
携帯電話装置３０は、上記のメールを図示しない最寄りの基地局を経由して図２のアンテナ５１を介して無線部５０で受信して所定の受信処理を行い、信号処理部４９を介して受信解析を行う（図３のステップＳ７）。制御部４１は、信号処理部４９で解析されたメールに付加されている着信通信信号の消音設定情報に応じて、音声処理部４８を制御して、スピーカ４６から着信音を鳴動するか着信音の鳴動を停止（消音）する（図３のステップＳ８）。
【００３１】
すなわち、制御部４１は、受信メール中の着信通信信号の消音設定情報が消音設定されていることを示している時に限り、スピーカ４６による着信音鳴動を禁止し、消音させるように音声処理部４８を制御する。また、制御部４１は、受信したメールのメール本文のデータは、例えば記憶部４３に記憶すると共に、表示駆動部４７を介して表示部４４にメール受信を報知して、メール本文を表示するか否かのメニュー画面を表示するメール受信処理を行う（図３のステップＳ９）。
【００３２】
なお、受信メール中の着信通信信号の消音設定情報が消音設定されていないときには、従来と同様に、スピーカ４６による着信音の鳴動がされる。また、着信音の鳴動の有無に関係なく、上記のステップＳ９のメール受信処理は行われる。
【００３３】
このように、本実施の形態によれば、メール送信者である送信側携帯電話装置１０が着信音を消音指定できるようにしたため、メール送信者はいつでも気兼ねなくメールを出せる。また、本実施の形態に寄れば、メール受信者である受信側携帯電話装置３０は、送信側携帯電話装置１０の側でマナーを心がけて消音指定をするようにしているため、マナーモード設定期間を短くできる。
【００３４】
なお、本発明は、携帯電話機に限らず、電話機能とメール送受信機能を有する携帯型通信機器である携帯電話装置全体に適用可能である。
【図面の簡単な説明】
【００３５】
【図１】本発明システムの一実施の形態のシステム構成図である。
【図２】携帯電話装置の一例のブロック図である。
【図３】図１の動作説明用フローチャートである。
【符号の説明】
【００３６】
１０  送信側携帯電話装置
２０  中継サーバ
３０  受信側携帯電話装置
４０  携帯電話装置
４１  制御部
４２  入力部
４６  スピーカ
４８  音声処理部
【図１】
2006115124.tif 000003
【図２】
2006115124.tif 000004
【図３】
2006115124.tif 000005